(57)【要約】【課題】処理済箇所、未作業箇所であってある一定期間内に作業を予定している箇所、未作業箇所であってある一定期間後に作業を予定している箇所、を色分けして表示する。【解決手段】実施形態の作業予定範囲可視化装置は、作業対象の設計データを記憶している設計データ記憶部と、前記設計データに基づく作業工程データを記憶している工程データ記憶部と、将来を含む期間である指定期間が入力される指定部と、設計データ及び前記作業工程データのうち、前記指定期間より前に作業が完了した箇所である第１作業箇所、前記指定期間内に作業予定である第２作業箇所、及び、前記指定期間後に作業予定である第３作業箇所のそれぞれに該当するデータを抽出し、前記第１作業箇所、前記第２作業箇所、及び、前記第３作業箇所をそれぞれ区別して前記作業対象の図面を作成する図面作成部と、を有する。【選択図】図１
2018142146.tif 000002
【特許請求の範囲】
【請求項１】
作業対象の設計データを記憶している設計データ記憶部と、
前記設計データに基づく作業工程データを記憶している工程データ記憶部と、
将来を含む期間である指定期間が入力される指定部と、
前記設計データ及び前記作業工程データのうち、前記指定期間より前に作業が完了した箇所である第１作業箇所、前記指定期間内に作業予定である第２作業箇所、及び、前記指定期間後に作業予定である第３作業箇所のそれぞれに該当するデータを抽出し、前記第１作業箇所、前記第２作業箇所、及び、前記第３作業箇所をそれぞれ区別して前記作業対象の図面を作成する図面作成部と、
を有する作業予定範囲可視化装置。
【請求項２】
前記指定部は、
前記第１作業箇所、前記第２作業箇所、及び、前記第３作業箇所のそれぞれに該当する色である第１作業色、第２作業色、及び、第３作業色を指定し、
前記図面生成部は、
前記第１作業箇所、前記第２作業箇所、及び、前記第３作業箇所をそれぞれ前記第１作業色、前記第２作業色、及び、前記第３作業色に着色して前記作業対象の図面を作成する請求項１に記載の作業予定範囲可視化装置。
【請求項３】
前記設計データは３ＤＣＡＤデータである請求項１乃至請求項２のいずれか一項に記載の作業予定範囲可視化装置。
【請求項４】
前記工程データを変更する変更入力部を有する請求項１乃至請求項３のいずれか一項に記載の作業予定範囲可視化装置。
【請求項５】
将来を含む期間である指定期間を入力する入力工程と、
作業対象の設計データ、及び、前記設計データに基づく作業工程データのうち、前記指定期間より前に作業が完了した箇所である第１作業箇所、前記指定期間内に作業予定である第２作業箇所、及び、前記指定期間後に作業予定である第３作業箇所のそれぞれに該当するデータを抽出する抽出工程と、
前記第１作業箇所、前記第２作業箇所、及び、前記第３作業箇所のそれぞれに該当するデータを視覚的に区別可能であるように前記作業対象の図面を作成する図面作成工程と、を有する作業予定範囲可視化方法。
【発明の詳細な説明】
【技術分野】
【０００１】
本発明は、作業予定範囲可視化装置および作業予定範囲可視化方法に関する。
【背景技術】
【０００２】
発電所の建設のような大規模プロジェクトでは多くの会社が並行して作業を行う工事となり、毎週の工程会議での作業範囲の調整を行うことと他の会社の作業状況を把握した上での作業段取りや安全対策を行うことが重要となる。
【０００３】
工程会議等でこれら先の作業調整を行うために、従来は工事エリア図等に各社の作業するエリアを図示し、具体的な作業等を文字等で記載する方法がとられてきた。
【０００４】
ところで、近年の工事工期短縮要求により、同じ作業エリアであっても作業内容によりさらに工事の並行化を進める必要がでてきており、工事エリア図による作業干渉の調整だけでは不足する事態が生じることがある。
【０００５】
このため、エリアだけでなく作業対象が示されている平面図や立体図と先の進捗状況を見ながら作業の調整を行う必要がでてきているが、作業の調整に必要な図面の作成に多くの作業時間と手間を要する。
【０００６】
図面を使用した従来の進捗可視化技術としては、例えばＣＡＤモデルを工事進捗状態に応じて色付けすることを可能とした「出来高管理システム」がある（特許文献１参照）。
【先行技術文献】
【特許文献】
【０００７】
【特許文献１】特開２００７−３２８４３４号公報
【発明の概要】
【発明が解決しようとする課題】
【０００８】
しかしながら、このような従来の技術では、残りの作業の確認や、作業手順の確認はできるものの、今週、来週の作業予定というようなある期間に行う必要がある作業範囲の確認ができない。
【０００９】
本発明が解決しようとする課題は、処理済箇所、未作業箇所であってある一定期間内に作業を予定している箇所、未作業箇所であってある一定期間後に作業を予定している箇所、を色分けして表示することができる作業予定範囲可視化装置および作業予定範囲可視化方法を提供することにある。
【課題を解決するための手段】
【００１０】
実施形態の作業予定範囲可視化装置は、作業対象の設計データを記憶している設計データ記憶部と、前記設計データに基づく作業工程データを記憶している工程データ記憶部と、将来を含む期間である指定期間が入力される指定部と、設計データ及び前記作業工程データのうち、前記指定期間より前に作業が完了した箇所である第１作業箇所、前記指定期間内に作業予定である第２作業箇所、及び、前記指定期間後に作業予定である第３作業箇所のそれぞれに該当するデータを抽出し、前記第１作業箇所、前記第２作業箇所、及び、前記第３作業箇所をそれぞれ区別して前記作業対象の図面を作成する図面作成部と、を有する。
【００１１】
また、実施形態の作業予定範囲可視化方法は、将来を含む期間である指定期間を入力する入力工程と、作業対象の設計データ、及び、前記設計データに基づく作業工程データのうち、前記指定期間より前に作業が完了した箇所である第１作業箇所、前記指定期間内に作業予定である第２作業箇所、及び、前記指定期間後に作業予定である第３作業箇所のそれぞれに該当するデータを抽出する抽出工程と、前記第１作業箇所、前記第２作業箇所、及び、前記第３作業箇所のそれぞれに該当するデータを視覚的に区別可能であるように前記作業対象の図面を作成する図面作成工程と、を備える。
【発明の効果】
【００１２】
本発明によれば、経時的な作業予定を直感的に把握可能な図面を作成する作業予定範囲可視化装置および作業予定範囲可視化方法を提供できる。
【図面の簡単な説明】
【００１３】
【図１】作業予定範囲可視化装置の構成の一例を示すブロック図である。
【図２】工事工程表の表示例を示す図である。
【図３】表示条件設定画面例である。
【図４】作業予定範囲可視化装置の動作を示すフローチャートである。
【図５】作業予定範囲可視化装置で作成された図面の一例を表す模式図である。
【発明を実施するための形態】
【００１４】
以下、図面を参照して、本発明の実施の形態を詳細に説明する。  
図１は、本発明の一実施形態に係る作業予定範囲可視化装置１の一例を表すブロック図である。作業予定範囲可視化装置１では、作業予定を経時的に把握可能な作業対象の図面を、同一ウィンドウ又は同一紙面上に作成する。作業予定範囲可視化装置１は、例えば発電所などの発電プラントなどの工事の工程管理に用いることができる。
【００１５】
実施形態の作業予定範囲可視化装置は、作業対象の設計データを記憶している設計データ記憶部１１、設計データに基づく作業工程データを記憶している工程データ記憶部１２、図面の表示方法を設定する指定部１３、作業同士の干渉条件が予め設定されており、この干渉条件に基づき図面作成部１５により作成された図面の作業対象（期間や機器、部材を含む）どうしの干渉を確認する工程干渉確認部１４、作業対象の図面を作成する図面作成部１５、作業対象の図面を画面に表示又は印刷する出力部１６を備える。設計データ記憶部１１、工程データ記憶部１２や干渉条件データ記憶部１４は、データを記憶する記憶装置、例えば、メモリまたはハードディスクドライブなどである。
【００１６】
設計データ記憶部１１について説明する。設計データ記憶部１１はデータを記憶する記憶装置であり、例えば、メモリまたはハードディスクドライブなどである。設計データ記憶部１１は、作業対象の設計データを記憶している。設計データは、作業対象の建造物や配管などの設備の位置、形状、寸法（縦、横、高さ等）、重量などのデータであり、数値情報、平面の図面データや３次元Ｃｏｍｐｕｔｅｒ  Ａｉｄｅｄ  Ｄｅｓｉｇｎデータ（以下「３ＤＣＡＤデータ」と称す）などの形態で記憶されている。
【００１７】
工程データ記憶部１２について説明する。工程データ記憶部１２はデータを記憶する記憶装置であり、例えば、メモリまたはハードディスクドライブなどである。工程データ記憶部１２は、設計データに基づく作業工程データを記憶している。作業工程データは、設計データ中の各作業対象の作業順序や作業スケジュールであり、例えば、図２のような工事工程表である。また、工程データ記憶部１２には、各作業対象に対する作業の内容や各作業を実施する業者作業、工事対象エリアを複数に区切った場合の各エリアの作業順序や作業工程表も記憶されていてもよい。
【００１８】
工程データ記憶部１２に記憶された作業工程データは、実際の作業の進捗や変更内容に応じて、随時更新されることが可能である。工程データ記憶部１２には、入力部１７が接続されており、入力部１７から作業工程データを更新することが可能である。入力部１７は、例えばキーボード、マウスなどの入力機器を有する。
【００１９】
出力部１６について説明する。出力部１６は図面作成部１５で作成された図面データを図面として表示する表示装置であり、例えば、ディスプレイや、プリンタである。
【００２０】
指定部１３について説明する。指定部１３は、データを記憶する記憶装置であり、例えば、メモリまたはハードディスクドライブなどである。指定部１３は、表示条件データを記憶している。表示条件データとは、図面作成部１５で作成される図面における作業対象の表示範囲と表示方法を指定するデータである。表示条件データにおいて表示範囲に含まれている作業対象は、図面作成部１５によって図面に表示される。また、作業対象の表示方法とは、例えば、作業対象が図面に表示される際の色、または透過度である。
【００２１】
表示条件データは、例えば図３に示すような表示条件設定画面によって指定される。表示条件設定画面では、エリア、作業対象設備、作業内容種別、作業会社を選択することができ、選択した範囲を表示対象又は非表示対象として設定することができる。
【００２２】
エリアは全エリアのほか、各エリア、工事区画、または、地図から任意の範囲を指定することができる。作業対象設備は全設備のほか、例えば、各機器、配管、または、ケーブルトレイといった、作業対象となっている設備ごとに指定することができる。作業内容種別は全作業内容のほか、例えば、搬入、溶接、または検査といった、作業対象となっている設備ごとに指定することができる。作業会社は全作業会社のほか、Ａ社またはＢ社といった、作業を行う会社ごとに指定することができる。
【００２３】
また、表示条件設定画面では、将来を含む期間を指定期間として設定することができる。指定期間よりも前を第１期、指定期間中を第２期、指定期間よりも後を第３期と呼称する。第１期は第２期より前の期間であってもよいし、第２期より前のすべてを含むものであってもよい。同様に、第３期は第２期より後の期間であってもよいし、第２期より後のすべてを含むものであってもよい。また、第１期、第２期、第３期のそれぞれの長さは同一であってもよいし、異なっていてもよい。第１期、第２期、第３期の期間の長さは１日単位や１時間単位、分単位であってもよい。
【００２４】
例えば、指定期間が今週である場合、第２期は今週の一週間となる。このとき、第１期が第２期より前の一定期間の場合は、例えば、第１期は先週の一週間となる。第１期が第２期より前のすべてを含む場合は、第１期は先週以降となる。同様に、第３期が第２期より後の一定期間である場合、例えば第３期は来週一週間となる。第３期が第２期より後のすべてを含む場合、第３期は来週以降となる。
【００２５】
さらに具体的に説明すると、現在が５月２日である場合、第２期は同年の５月１日〜５月７日の一週間とすることができる。第３期は同年の５月８日〜５月１０日とすることもできるし、同年の５月８日以降とすることもできる。また、同年の第１期は４月２５日〜４月３０日とすることもできるし、同年の４月３０日以前とすることもできる。
【００２６】
ここで、第１期に作業済みである箇所、すなわち、指定期間よりも前であって作業済みである箇所を前記第１作業箇所と呼称する。第２期に予定されている作業箇所、すなわち、指定期間内に作業を予定している箇所を前記第２作業箇所と呼称する。第３期に予定されている作業箇所、すなわち、指定期間後に作業を予定している箇所を前記第３作業箇所と呼称する。
【００２７】
さらに、表示条件設定画面では、第１作業箇所、第２作業箇所、及び、第３作業箇所のそれぞれに該当する色である第１作業色、第２作業色、及び、第３作業色を指定することができる。図面作成部１５で作成される図面において、第１作業箇所、第２作業箇所、及び、第３作業箇所に該当する作業対象は、それぞれ第１作業色、第２作業色、及び、第３作業色で表示される。
【００２８】
例えば、図３の表示条件設定画面において、第１期、第２期及び第３期はそれぞれ、先週、今週及び来週である。そして、第１作業色、第２作業色、及び、第３作業色はそれぞれ、青、赤及びピンクである。
【００２９】
なお、指定部１３には入力部１８が接続されており、入力部１８から表示条件データを変更することができる。入力部１８は例えばキーボード、マウスなどの入力機器である。
【００３０】
図面作成部１５について説明する。図面作成部１５は、演算装置であり、例えばＣＡＤ図面作成プログラムに従って立体または平面の図面を生成する。図面作成部１５は、指定部１３の表示条件データ、及び、工程データ記憶部１２の作業工程データにアクセスし、第１期、第２期、及び第３期のいずれかに該当し、かつ、表示範囲に該当する作業対象の設計データを設計データ記憶部から読み出し、図面データを作成する。さらに、指定部１３の表示条件データ内の第１作業色、第２作業色、及び、第３作業色に基づいて、第１作業箇所、第２作業箇所、及び、第３作業箇所がそれぞれ上記第１作業色、上記第２作業色、及び、上記第３作業色に着色されて表示されるよう図面データを作成する。
【００３１】
工程干渉確認部１４について説明する。工程干渉確認部１４は、記憶部と演算装置（判定部）を有する。工程干渉確認部１４の記憶部は、例えばメモリまたはハードディスクドライブなどであり、干渉条件データを記憶している。干渉条件データとは予め設定された干渉条件のことであり、上下に重なる作業、作業毎の必要な空間等である。工程干渉確認部１４の演算装置（判定部）は、干渉条件データと図面データにアクセスし、第２作業色で着色された作業対象に作業干渉があるか否かを判定する。作業干渉の作業対象がある場合は、調整が必要な作業対象として図面データ上に工程干渉を示す特定の表示（例えば黄色など）を着色して出力されるよう図面データを修正する。
【００３２】
なお、工程干渉部分の色は特に変更せず、干渉する部分の時期、場所、対象設備情報等をリストで出力してもよい。また、工程干渉部分の色は特に変更せず、工程干渉する部分に工程干渉を示す特定のマークや模様を表示してもよい。
【００３３】
図面作成部１５で作成され、工程干渉確認部１４で作業干渉がチェックされた図面データは出力部１６にて図面として表示（出力）される。
【００３４】
以下、図４を参照して実施形態の作業予定範囲可視化装置１の動作を説明する。図４は作業予定範囲可視化装置１の動作を示すフローチャートである。作業予定範囲可視化装置１の動作は、表示条件を設定する工程Ｓ１１、表示条件に基づいて作業対象の図面データを作成する工程Ｓ１２、作業干渉を判定する工程Ｓ１３、図面データを表示する工程Ｓ１４を有する。
【００３５】
表示条件を設定する工程Ｓ１１について説明する。工程Ｓ１１では、指定部１３に接続された入力部１８から表示条件データを設定する。すなわち、図３の表示条件設定画面の各条件を設定する。例えば、図面データの範囲を、「エリア」、「作業対象設備」、「作業内容種別」、「作業会社」から選択する。また、「期間」で第１期、第２期及び第３期を設定し、「色」で、第１作業色、第２作業色、及び、第３作業色を設定する。
【００３６】
次に、表示条件に基づいて作業対象の図面データを作成する工程Ｓ１２について説明する。工程１２では、図面作成部１５が、指定部１３の表示条件データ、及び、工程データ記憶部１２の作業工程データにアクセスし、第１期、第２期、及び第３期のいずれかに該当し、かつ、表示範囲に該当する作業対象の設計データを設計データ記憶部から読み出し、図面データを作成する。さらに、指定部１３の表示条件データ内の第１作業色、第２作業色、及び、第３作業色に基づいて、第１作業箇所、第２作業箇所、及び、第３作業箇所がそれぞれ前記第１作業色、前記第２作業色、及び、前記第３作業色に着色されて表示されるよう図面データを作成する。
【００３７】
次に、作業干渉を判定する工程Ｓ１３について説明する。工程Ｓ１３では、工程干渉確認部１４が、干渉条件データと図面データにアクセスし、第２作業色で着色された作業対象に作業干渉があるか否かを判定する。作業干渉の作業対象がある場合は、作業時期や作業箇所に調整が必要な作業対象として、図面データ上に工程干渉を示す特定の色（例えば黄色など）を着色して出力されるよう図面データを修正する。
【００３８】
次に、図面データを表示する工程Ｓ１４について説明する。工程Ｓ１４は、出力部１６が、図面作成部１５で作成され工程干渉確認部１４で干渉がチェックされた図面データを図面として表示する。
【００３９】
図５は工程Ｓ１４で出力された図面の一例である。図面に表示されている作業対象１９は、指定部１３の表示条件データで作業対象として設定されたものである。例えば、図５について、表示条件データにおいて、第1期は先週以前、第２期は今週、第３期は来週以降と設定されている。また、第１作業色、第２作業色、及び、第３作業色はそれぞれ青、赤、ピンクと設定されている。すなわち、図５では、表示条件データで先週以前に作業が完了した部分を青、今週の作業対象の部分を赤、来週以降に作業を予定している部分をピンクで示されている。図５では、作業対象２０は青、作業対象２１は赤、作業対象２２はピンクである。また、作業対象２３ａ、２３ｂ、２３ｃ、２３ｄは第２作業箇所に該当する部分であるが、工程干渉チェック部３３によって、工程干渉があると判断された箇所であり、黄色で示されている。
【００４０】
なお、第1期がある一期間である場合、第１期よりも前に複数の期間が設定され、それぞれに該当する作業対象箇所が第１期〜第３期と異なる色で着色されてもよい。同様に、第３期がある一期間である場合、第３期よりも前に複数の期間が設定され、それぞれに該当する作業対象箇所が第１期〜第３期と異なる色で着色されてもよい。
【００４１】
また、第１作業色、第２作業色、及び、第３作業色は透過度の異なる同色であってもよく、また、第１作業色、第２作業色、及び、第３作業色は図面の背景の色と同じに設定してもよい。第１作業色、第２作業色、及び、第３作業色を順に背景色から背景と異なる色に設定するたびに図面表示することで、作業箇所を時系列的に示すことが可能である。
【００４２】
また、表示条件データにおいて、非表示対象とした部分を、表示対象と異なる色または透過度で図面に表示してもよい。例えば、表示対象以外の部分をグレーで表示してもよい。
【００４３】
以上、本実施形態の作業予定範囲可視化装置１により、処理済箇所、未作業箇所であってある一定期間内に作業を予定している箇所、未作業箇所であってある一定期間後に作業を予定している箇所、を色分けして表示することができる。すなわち、経時的な作業予定を直感的に把握可能な図面を作成することにより、作業が完了した箇所、今週または来週の作業予定、というようなある期間に行う必要がある作業範囲を容易に確認することができる。そのため、工事の進捗状況及やこれから施工予定の工程干渉などを一目で確認でき、工程調整作業時間を短縮することができる。
【００４４】
この他、本実施形態により以下のような効果が得られる。  
・工程会議時の作業調整用資料作成工数を削減することができる。
・作業範囲を可視化することによる段取り効率・危険感度を向上することができる。
・作業干渉による手待ち工数を削減することができる。
・残作業を可視化することで工事進捗の遅れを早期に検知することができる。
・本社−工事現場間で工事の進捗状況を視覚的に共有することができる。
【００４５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１・・・作業予定範囲可視化装置
１１・・・設計データ記憶部
１２・・・工程データ記憶部
１３・・・指定部
１４・・・工程干渉確認部
１５・・・図面作成部
１６・・・出力部
１７・・・入力部
１８・・・入力部
１９・・・作業対象
２０・・・作業対象
２１・・・作業対象
２２・・・作業対象
２３ａ、２３ｂ、２３ｃ、２３ｄ・・・作業対象
【図１】
2018142146.tif 000003
【図２】
2018142146.tif 000004
【図３】
2018142146.tif 000005
【図４】
2018142146.tif 000006
【図５】
2018142146.tif 000007